(57)【要約】      （修正有）【課題】より効果的に水を活性化でき、その水を生体に与えた際、細胞の活性化が効果的に図れるようにするとともに、容器内のセラミックの充填率に余裕を持たせてセラミックを水圧等で攪乱させる場合でも、セラミックが損傷しにくくなるようにする浄水装置用セラミックを提供する。【解決手段】セラミック単体の形状を、七面以上の平面で囲まれる多面体とし、その表面に、波長範囲３．３３〜２５．４２μｍにおける遠赤外線積分放射率８３％以上の物質を釉薬として塗布する。この塗布の際、セラミック表面に局所的に塗布することにより、遠赤外線を放射する領域とセラミックの生地から放射される育成光線が混在するようになる。【選択図】図３
0003169118.tif 000002
【実用新案登録請求の範囲】
【請求項１】
水を浄化する浄水装置に組み込まれる浄水装置用セラミックであって、セラミック単体の形状が、七面以上の平面で囲まれる多面体であり、その表面に、波長範囲３．３３〜２５．４２μｍにおける遠赤外線積分放射率８３％以上の物質が釉薬として塗布されることを特徴とする浄水装置用セラミック。
【請求項２】
前記釉薬は、前記多面体の全表面のうちの一部に塗布され、釉薬の塗布された領域とセラミックの生地が露出する領域とが混在することを特徴とする請求項１に記載の浄水装置用セラミック。
【考案の詳細な説明】
【技術分野】
【０００１】
本考案は、浄水装置に用いられるセラミックに関する。
【背景技術】
【０００２】
従来、水道水等の水質を改善するため、浄水装置の水路の途中に遠赤外線放射性を有するセラミック粒子を充填した容器を配設し、この容器内に水を通すことにより、セラミック粒子から水中に遠赤外線を放射して水のクラスターを細分化し活性化させておいしい水を作り出すような技術が知られており、この際、容器の上流側と下流側に偏向フィンを設けて水に乱流を発生させることで、セラミック粒子に均一に水を衝突させるような技術（例えば、特許文献１参照。）や、セラミック粒子を充填する容器の上流側と下流側に一対のマグネットを取付けて磁気エネルギーと遠赤外線エネルギーとの相乗作用で浄水効果を高めるような技術（例えば、特許文献２参照。）や、遠赤外線放射セラミックが充填される容器を貯水槽の中に入れ、容器を強制回転させることで放射効果を高めるようにした技術（特許文献３参照。）なども知られている。
【先行技術文献】
【特許文献】
【０００３】
【特許文献１】特開平０８−７１５４３号公報
【特許文献２】特開２００４−２６１７９９号公報
【特許文献３】実用新案登録第３０２６５３２号公報
【考案の概要】
【考案が解決しようとする課題】
【０００４】
ところが、従来の浄水装置用の遠赤外線セラミック粒子は、粒子単体の形状が球状であるのが一般的であるため、容器内に充填する際にセラミック同士間の隙間が大きくなって充填率が下がると同時に、セラミック粒子の隙間を水が流動する際の抵抗が少ないため円滑に流れすぎるようになり、容器内における水の滞留時間が短いということもあって、水に対する遠赤外線放射効率が充分でなく、水の活性化に限界が生じるという問題があった。
すなわち、遠赤外線を水に放射して水を活性化するという意義は、遠赤外線の放射によって水分子の集合体を小さくすると同時に、遠赤外線の中の育成光線によってヒドロキシルイオンを生成することにあり、小さくされた水分子の集合体及びヒドロキシルイオンを含んだ水は、細胞へ浸透しやすくなるとともに、細胞の活性化を高める。
しかし、遠赤外線を放射するセラミックの充填密度が低く、しかも容器内への水の滞留時間が短くなると、水分子の集合体を小さくすることと、ヒドロキシルイオンを生成することに対して限界があった。
【０００５】
一方、セラミック単体の形状を多面体構造にして角部を設ければ、多面体の形状によっては球体の場合に較べて容器内への充填密度を高めることができるとともに、球体の場合に較べて、水の流動抵抗が増大して滞留時間を長くすることができ、遠赤外線放射効率をより高めることができるが、例えば容器内の空間部にセラミックを余裕を持たせて充填することにより水圧でセラミックを攪乱させて遠赤外線放射効率を高めるようにした場合には、例えば六面体や四面体などの場合は、角部の頂角が９０度または鋭角となって、お互いにぶつかり合ったときに、角部が損傷しやすくなるという問題があった。
【０００６】
そこで本考案は、浄水装置用セラミックとして、より効果的に水を活性化でき、その水を生体に与えた際、細胞の活性化が効果的に図れるようにするとともに、容器内のセラミックの充填率に余裕を持たせてセラミックを水圧等で攪乱させる場合でも、セラミックが損傷しにくくなるようにすることを目的とする。
【課題を解決するための手段】
【０００７】
上記目的を達成するため本考案は、水を浄化する浄水装置に組み込まれる浄水装置用セラミックにおいて、セラミック単体の形状を、七面以上の平面で囲まれる多面体とし、その表面に、波長範囲３．３３〜２５．４２μｍにおける遠赤外線積分放射率８３％以上の物質を釉薬として塗布するようにした。
【０００８】
このようにセラミックの表面に、所定波長範囲内の遠赤外線積分放射率８３％以上の物質を釉薬として塗布することにより、遠赤外線放射効果によって水分子の集合体を小さくする効果が増大して、細胞への浸透力が高まるとともに、育成光線の作用によって生成されたヒドロキシルイオンが体に吸収されることにより血液の浄化や細胞の活性化等が図られ、自然治癒力が向上する。
ここで、生地となるセラミックや、波長範囲３．３３〜２５．４２μｍにおける遠赤外線積分放射率が８３％以上の物質からなる釉薬としては、例えば、トルマリンや、カリ長石や、アルミナや、鉄分等のブレンド材料から構成されるものである。
【０００９】
また、セラミック単体の形状を、七面以上の平面で囲まれる多面体とすることで、例えば、これらを容器内にほぼ一杯に充填する場合に、球体の場合に較べて充填密度を高めることができるとともに、球体の場合に較べてセラミック間を流通する水の流動を遅くして、容器内への水の滞留時間を伸ばすことができ、遠赤外線放射による水の活性化をより促進させることができる。
一方、容器内の空間部に余裕を持ってセラミックを充填し、水圧でセラミックを攪乱させるようにした場合でも、六面体などに較べて角部が損傷しにくくなる。なお、七面以上の平面で囲まれる多面体としては、例えば、１２個の正五角形で形成される正十二面体や、６つの正方形と８つの正六角形で形成される切頂八面体等が好適であり、特に、全ての面が同一形状である正十二面体は、製作の点や、損傷防止の点から特に好ましい。
【００１０】
また本考案では、前記釉薬を、前記多面体の全表面のうちの一部に塗布することにより、釉薬の塗布された領域とセラミックの生地が露出する領域とを混在させるようにした。
【００１１】
すなわち、釉薬を多面体の表面の全領域に塗布すれば、高温で焼き付けた場合に釉薬がガラス状になるため、セラミック生地に含まれる遷移金属から酸化していく血液を還元させて人体にできる活性酸素などのフリーラジカルを減少させる効果が低くなり、釉薬を全く塗布しなければ遠赤外線放射の効果が減少するか、または得られなくなる。そこで、釉薬を塗布した領域とセラミック生地が露出する領域を混在させることにより、ヒドロキシルイオンによって細胞を活性化させ血液をサラサラにさせる等の効果や水をおいしくする効果と血液中のフリーラジカルを減少させる効果等の両方の効果を得ることができる。
なお、釉薬を部分的に塗布する方法としては、例えば多面体のある平面領域には塗布し、他の平面領域には塗布しないようにすれば簡単に塗り分けることができる。
【考案の効果】
【００１２】
水を浄化するための浄水装置用セラミックとして、セラミック単体の形状を、七面以上の平面で囲まれる多面体とすることで、例えば、容器内にセラミックを一杯充填しようとする場合にその充填密度を高めることができるとともに、容器内への水の滞留時間を長くすることができて、水に対する遠赤外線放射効果をより高めることができる。一方、容器内の空間部に余裕を持たせてセラミックを充填することで、水圧等によりセラミックを攪乱させる場合でも、セラミックの損傷を招きにくくすることができる。また、その表面に、波長範囲３．３３〜２５．４２μｍにおける遠赤外線積分放射率が８３％以上の物質を釉薬として塗布することにより、遠赤外線によって水分子集合体を小さくすることがより効果的となり、健康保持により有効な水にすることができる。
この際、釉薬を塗布する領域と、セラミック生地が露出する領域を混在させることにより、特に人体に対する健康保持に有効なヒドロキシルイオンの放射効果と、水をおいしくし、且つ水中や体内の細胞の活性化等に有効な遠赤外線放射効果の両方を得ることができる。
【図面の簡単な説明】
【００１３】
【図１】本考案に係る浄水装置の一例を示す説明図である。
【図２】容器内に充填されるセラミックの一例を示す説明図である。
【図３】セラミック単体の形状の一例を示す説明図である。
【図４】釉薬の遠赤外線放射率を測定した試験成績表である。
【考案を実施するための形態】
【００１４】
本考案の実施の形態について添付した図面に基づき説明する。
本考案に係る浄水装置用セラミックは、水道水等の水を浄化することで通常の浄水器等で除去できない細菌やヒ素、重金属イオン、トリハロメタン、ダイオキシンなどの有害物質をほぼ完全に取り除き、しかも人が飲んだとき、体内の細胞が活性化される効果を高め、しかも血液をサラサラにすることができるような浄水装置の一部に組み込まれている。
【００１５】
すなわち、本浄水装置用セラミックが適用される浄水装置１の一例は、図１に示すように、水道水等の処理水の流水経路の上流側に配設される第１フィルタ２と、この第１フィルタ２に下流に配設されるブースターポンプ３と、このブースターポンプ３の下流に配設される第２フィルタ４と、この第２フィルタ４の下流に配設される逆浸透膜フィルタ５を備えており、この逆浸透膜フィルタ５によって処理された水は、三方管６を介して貯留タンク７または特殊フィルタ８に送られるようにされている。そして、特殊フィルタ８を通過した水が飲み水等として供給されるようになっており、本浄水装置用セラミックは、特殊フィルタ８の容器内に配設されている。
【００１６】
前記第１フィルタ２は、化学繊維等のフィルタによって１μｍ以上の泥やサビや水垢などの不純物を除去できるようにされ、前記第２フィルタ４は、上質な活性炭の吸着により、塩素や臭みなどの有機化合物を除去できるようにされている。
【００１７】
そして、第１フィルタ２を通しブースターポンプ３によって加圧した処理水を第２フィルタ４に送り込み一般の濾過式浄水器で行われる浄水機能全てが発揮されるようにしており、その後、逆浸透膜フィルタ５に送り込むようにしている。
【００１８】
逆浸透膜フィルタ５は、例えば０．０００１μｍ程度の微細孔を有するＴＦＣ膜（合成薄層フィルム膜）から構成され、一般の濾過式浄水器では除去できないヒ素、トリハロメタン、硝酸性窒素、ホルムアルデヒド、ダイオキシン、農薬、アルミニウム、溶解性鉛などの有害化学物質や放射性物質などを除去できるようにされ、除去された不純物を廃棄水として器外に排出するようにされている。
【００１９】
前記特殊フィルタ８には、図２に示すように、その容器８ｈ内に本考案に係るセラミック１０が充填され、三方管６を通って送り込まれる水を容器８ｈ内に導き、セラミック１０の隙間を通して流動させることができるようにされている。この際、容器８ｈ内にセラミック１０をほぼ一杯に充填しても良く、または余裕を持って充填することにより水圧でセラミック１０が攪乱されるようにしても良いが、以下に述べるように、セラミック１０から水中に放射される遠赤外線やヒドロキシルイオンがより多く発生するように充填することが好ましい。
【００２０】
前記セラミック１０は、トルマリンや、カリ長石や、アルミナや、鉄分や粘土等を含む成分組成の材料から構成され、七面以上の平面で囲まれる多面体形状とされており、本実施例では、図３（ａ）に示すような正十二面体、または（ｂ）に示すような切頂八面体構造としている。
このため、例えば容器８ｈ内にセラミック１０を一杯に充填しようとする場合には、球体のセラミックに較べて充填密度をより高めることができる。
【００２１】
そしてこのセラミック１０には、一旦素焼きした生地の表面に、局部的に遠赤外線放射率の高い物質からなる釉薬ｕが塗布されており、釉薬ｕを塗布した後、再度、高温で焼成することにより、釉薬ｕが塗布されたコート面と、セラミック１０の生地がそのまま露出する非コート面とが混在するようにされている。
なお、この釉薬ｕの成分については、トルマリンパウダーやカリ長石パウダーなどをブレンドしたものである。
【００２２】
また、釉薬ｕの遠赤外線放射特性は、本実施例では、波長範囲３．３３〜２５．４２μｍにおける遠赤外線積分放射率が８３％以上のものとしており、本実施例では、実施例のＡタイプでは、図４（ａ）に示すように、波長範囲３．３３〜２５．４２μｍにおける積分放射率が８６．８％、実施例のＢタイプでは、図４（ｂ）に示すように、波長範囲３．３３〜２５．４２μｍにおける積分放射率が８７．６％のものとしている。
因みに、この遠赤外線放射率は、遠赤外線分光放射計を使用し、ヒータ温度１００℃にて測定し、Ａタイプのセラミックについては、表面温度９０．１℃、Ｂタイプのセラミックについては、表面温度８９．９℃の条件下で測定したものである。
【００２３】
以上のような浄水装置用セラミック１０が適用される浄水装置１において、第１フィルタ２や第２フィルタ４や逆浸透膜フィルタ５によって不純物が除去され、限りなく純水に近い水に精製された後、この精製された水が特殊フィルタ８に送り込まれる。
【００２４】
この際、特殊フィルタ８の容器８ｈ内には、局所的に釉薬ｕが塗布された多面体形状のセラミック１０が充填されているため、釉薬ｕが塗布された箇所からは遠赤外線が活発に放射され、水分子の集合体を小さくし、ヒドロキシルイオンによって細胞が活性化され血液がサラサラになる等の効果や水をおいしくする効果が発揮され、動植物等の生体に極めて有効に作用する。この際、セラミック１０の形状が多面体であるため、容器８ｈ内に一杯充填する場合には、球体の場合に較べて充填密度を高くすることができるとともに、球体の場合に較べて水の容器８ｈ内への滞留時間が長くなり、遠赤外線の放射効率が高まる。
【００２５】
また、遠赤外線の放射効率を高めるため、容器８ｈ内の空間部に余裕を持たせてセラミック１０を充填し、水圧によってセラミック１０を攪乱するようにした場合でも、七面以上の平面で囲まれる多面体であるため、角部等が損傷しにくくなり、また、六面体である場合などに較べて水圧の圧損が生じにくい。
【００２６】
一方、セラミック１０の釉薬ｕを塗布していない箇所からは、酸化していく血液を還元させ人体にできる活性酸素などのフリーラジカルを減少させる効果を得ることができる。
【００２７】
以上のような構成により、本セラミックを、特に飲み水や植物育成用の水の浄水用として使用すれば、極めて効果的に作用させることができる。
【００２８】
なお、本考案は以上のような実施形態に限定されるものではない。本考案の実用新案登録請求の範囲に記載した事項と実質的に同一の構成を有し、同一の作用効果を奏するものは本考案の技術的範囲に属する。
例えば、多面体の具体的形状等は例示であり、また、浄水装置１の具体的構成や、特殊フィルタの形態等も例示である。
【産業上の利用可能性】
【００２９】
特に、生体の細胞等に効果的に作用する水を作り出すことができるため、飲み水浄水用として、あるいは植物育成用浄水として広い範囲での利用が期待される。
【符号の説明】
【００３０】
１…浄水装置、８…特殊フィルタ、１０…セラミック、ｕ…釉薬。
【図１】
0003169118.tif 000003
【図２】
0003169118.tif 000004
【図３】
0003169118.tif 000005
【図４】
0003169118.tif 000006